(57)【要約】【課題】円形ランプの取り付け、取り外しが容易な円形ランプ保持装置を提供する。また、容易な操作で円形ランプの口金ピンを確実にランプソケットに差し込み可能な手段を提供する。【解決手段】円形ランプ保持装置１００は、レバー１０とソケット２０とを備えた。ソケット２０は、円形ランプの周方向の形状に対応した面であって面内には口金ピンが挿入される口金ピン受け部の挿入口２１が形成されたランプ位置決め部２２と、相手部品の回転を可能とする回転中心軸２４を形成する回転軸２３と、回転中心軸２４を回転中心とするレバー１０の一定方向の回転をロックする凸部２５とを有する。レバー１０は、回転軸２３に取り付けられる。レバー１０は、円形ランプのうちの口金部を含む一部分である口金周辺部分を支持可能であるとともに円形ランプのサイズに対応した寸法であるランプ支持寸法Ｌ２で形成されたランプ支持部１１を有する。【選択図】図４
2007273165.tif 000002
【特許請求の範囲】
【請求項１】
円環形状の円形ランプであって口金ピンを有する口金部が前記円環形状の一部として形成されている円形ランプを保持する円形ランプ保持装置において、
前記円形ランプの周方向の形状に対応した面であって面内には前記口金ピンが挿入される口金ピン受け部の挿入口が形成されている挿入口形成面と、
自己に取り付けられる相手部品の回転を可能とする回転中心軸を形成する回転中心軸形成部と、
前記回転中心軸を回転中心とする前記相手部品の一定方向の回転をロックする回転ロック部と
を有し、照明器具本体に装着されるソケットと、
前記相手部品として前記回転中心軸形成部に取り付けられる回転部品であって、前記円形ランプのうちの前記口金部を含む一部分である口金周辺部分を支持可能であるとともに前記円形ランプのサイズに対応した寸法である支持寸法で形成されたランプ支持部を有し、前記ランプ支持部と前記挿入口形成面とにより前記口金周辺部分の存在可能なスペースを形成する回転部品と
を備え、
前記回転部品は、
前記口金周辺部分が前記口金ピンを前記挿入口形成面に向けた状態で前記存在可能なスペースに位置する場合に前記回転中心軸を回転中心として所定の方向に回されると前記口金周辺部分の前記存在可能なスペースを移動させながら前記口金周辺部分を前記挿入口形成面の近傍に導き、
前記口金周辺部分が前記挿入口形成面の近傍に位置する場合にさらに前記所定の方向に前記回転中心軸を回転中心として回されると前記ランプ支持部が前記口金周辺部分の前記口金部が存在する側に対して下側のランプ表面と接触しながら前記口金周辺部分を前記挿入口形成面に向けて押しやることにより前記口金周辺部分の前記口金ピンを前記口金ピン受け部に挿入し、
さらに前記所定の方向に前記回転中心軸を回転中心として回されると前記回転ロック部により前記所定の方向と反対方向の回転がロックされ前記ロックに伴って前記ランプ支持部が前記挿入口形成面とともに前記円形ランプを保持することを特徴とする円形ランプ保持装置。
【請求項２】
前記回転部品は、さらに、
前記回転ロック部による前記ロックが解除されて前記所定の方向と反対方向に回されると、前記円形ランプに接触しながら前記口金周辺部分を前記挿入口形成面から押しやることにより前記口金周辺部分の前記口金ピンを前記口金ピン受け部から取り外すランプ取り外し部を有することを特徴とする請求項１記載の円形ランプ保持装置。
【請求項３】
前記回転部品は、さらに、
前記回転中心軸を回転中心として回された場合に、円環形状である前記口金周辺部分の内径側と接触可能な突起部を有することを特徴とする請求項１または２いずれかに記載の円形ランプ保持装置。
【請求項４】
請求項１〜３いずれかに記載の円形ランプ保持装置と、少なくとも一つのランプホルダーとを備えたことを特徴とする照明器具。
【発明の詳細な説明】
【技術分野】
【０００１】
この発明は、円形ランプを保持する保持装置に関する。
【背景技術】
【０００２】
従来、円形ランプを取り付ける時は、照明器具本体に設けて有るソケットにランプ口金ピンを差し込み、複数個のランプホルダーに円形ランプを差し込んで固定していた。円形ランプ以外の例えば片口金ランプの場合では、同様な頻雑な作業を軽減するため、特許文献１に有る様な直管ランプやコンパクトランプ（片口金ランプ）の接続・保持機構が考案された。しかし円形ランプに於いては、その形状から接続・保持を同時に両立させる構造は困難であった。また、ランプ口金ピンをソケットに差し込む強度を作業者に依存しており、接続信頼性の確立が難しかった。
【特許文献１】特開２００１−２９７８４４号公報
【発明の開示】
【発明が解決しようとする課題】
【０００３】
この発明は、容易に円形ランプの取り付け、取り外しが可能な保持装置を提供することを目的とする。また、簡便な操作で円形ランプの口金ピンを確実にランプソケットに差し込むことができる手段を提供することを目的とする。
【課題を解決するための手段】
【０００４】
この発明の円形ランプ保持装置は、
円環形状の円形ランプであって口金ピンを有する口金部が前記円環形状の一部として形成されている円形ランプを保持する円形ランプ保持装置において、
前記円形ランプの周方向の形状に対応した面であって面内には前記口金ピンが挿入される口金ピン受け部の挿入口が形成されている挿入口形成面と、
自己に取り付けられる相手部品の回転を可能とする回転中心軸を形成する回転中心軸形成部と、
前記回転中心軸を回転中心とする前記相手部品の一定方向の回転をロックする回転ロック部と
を有し、照明器具本体に装着されるソケットと、
前記相手部品として前記回転中心軸形成部に取り付けられる回転部品であって、前記円形ランプのうちの前記口金部を含む一部分である口金周辺部分を支持可能であるとともに前記円形ランプのサイズに対応した寸法である支持寸法で形成されたランプ支持部を有し、前記ランプ支持部と前記挿入口形成面とにより前記口金周辺部分の存在可能なスペースを形成する回転部品と
を備え、
前記回転部品は、
前記口金周辺部分が前記口金ピンを前記挿入口形成面に向けた状態で前記存在可能なスペースに位置する場合に前記回転中心軸を回転中心として所定の方向に回されると前記口金周辺部分の前記存在可能なスペースを移動させながら前記口金周辺部分を前記挿入口形成面の近傍に導き、
前記口金周辺部分が前記挿入口形成面の近傍に位置する場合にさらに前記所定の方向に前記回転中心軸を回転中心として回されると前記ランプ支持部が前記口金周辺部分の前記口金部が存在する側に対して下側のランプ表面と接触しながら前記口金周辺部分を前記挿入口形成面に向けて押しやることにより前記口金周辺部分の前記口金ピンを前記口金ピン受け部に挿入し、
さらに前記所定の方向に前記回転中心軸を回転中心として回されると前記回転ロック部により前記所定の方向と反対方向の回転がロックされ前記ロックに伴って前記ランプ支持部が前記挿入口形成面とともに前記円形ランプを保持することを特徴とする。
【発明の効果】
【０００５】
この発明により、円形ランプの取り付け、取り外しが容易な保持装置を提供することができる。また、容易な操作で円形ランプの口金ピンを確実にランプソケットに差し込むことができる手段を提供することができる。
【発明を実施するための最良の形態】
【０００６】
実施の形態１．
図１〜図１１を参照して実施の形態１を説明する。実施の形態１は、円形ランプを従来のランプホルダーを必要とすることなく保持可能な円形ランプ保持装置１００に関する。この円形ランプ保持装置１００は、ソケットを兼用する構造である。
【０００７】
図１は、円形ランプを示す図である。図１は、本実施の形態１の円形ランプ保持装置１００が保持対象として想定する従来の円形ランプ３０の外観を示す。円形ランプ３０は、図１に示すように、円環形状である。そして、円環形状の一部に口金ピン３１を有する口金部３２が形成されている。
【０００８】
図２は、円形ランプ保持装置１００が照明器具本体に取り付けられた状態を示す図である。図２（ａ）は、天井に取り付けられた照明器具本体４０を室内においてその直下から見上げた場合に相当する。図２（ｂ）は、円形ランプ保持装置１００と円形ランプ３０との組み付け状態を示すための斜視図である。図３は、図２（ａ）におけるＡ−Ａ断面図である。
【０００９】
図２に示すように、円形ランプ保持装置１００の特徴の一つは、従来のランプホルダーを用いることなく、円形ランプ保持装置１００のみで円形ランプ３０を保持することにある。前述のように円形ランプ保持装置１００は、ソケットを兼ねている。
【００１０】
図３のＡ−Ａ断面図に示すように、円形ランプ３０は保持状態において、レバー１０とソケット２０によって保持される。これについては後述する。
【００１１】
図４は、円形ランプ保持装置１００の構成を示す斜視図である。円形ランプ保持装置１００は、レバー１０とソケット２０とを備える。また、図５は図４のソケット２０のＢ矢視を示している。図４、図５によりレバー１０、ソケット２０を説明する。
【００１２】
先ずソケット２０を説明する。
（１）ソケット２０は、ランプ位置決め部２２（挿入口形成面）を有する。ランプ位置決め部２２は、円形ランプ３０の周方向の形状に対応した面であって面内には口金ピン３１が挿入される口金ピン受け部の挿入口２１が形成されている。
ここで「円形ランプ３０の周方向の形状に対応した面」とは、図１に示す口金ピン３１の周辺のランプ表面形状に対応した面であることを意味する。図５に示すようにランプ位置決め部２２の長さは「Ｌ１」であるとする。この場合、ランプ位置決め部２２は、図１のＬ１のランプの表面形状部分をくり抜いたような面である。図１に示すように、円形ランプ３０の外形側、内径側の曲率がＲ１，Ｒ２の場合、ランプ位置決め部２２は、図５に示すようにＲ１，Ｒ２に対応したＲ１’，Ｒ２’の曲率をもち円形ランプ３０にフィットする形状である。これによりランプ位置決め部２２は、円形ランプ３０を導くことができる。
（２）また、ソケット２０は、回転軸２３（回転中心軸形成部）を有する。回転軸２３は、ソケット２０に取り付けられるレバー１０の回転を可能とする回転中心軸２４を形成する。図４に示すように、回転軸２３にはレバー１０の回転軸受け穴１４がはまる。
（３）また、ソケット２０は、回転中心軸２４を回転中心とするレバー１０の一定方向の回転をロックする凸部２５（回転ロック部）を有する。この凸部２５は、図５に示すように突起している。この凸部２５は、例えば概略半球形状の突起である。
（４）ソケット２０は、ネジを固定穴２６を通して照明器具本体４０に固定され装着される。
【００１３】
次にレバー１０を説明する。図６は、それぞれ別の角度からみたレバー１０の斜視図である。図４〜図６を参照してレバー１０を説明する。
【００１４】
（１）レバー１０は、回転軸受け穴１４によりソケット２０の回転軸２３に取り付けられる。レバー１０は、口金部３２を含む円形ランプ３０の一部分である口金周辺部分３６を支持可能である。
「口金周辺部分３６」は、図２（ａ）に示すように、口金部３２を含む円形ランプ３０の一部分であってレバー１０の後述のランプ支持寸法Ｌ２に相当する円形ランプ３０の一部分である。
レバー１０は、円形ランプ３０のサイズに対応した寸法であるランプ支持寸法Ｌ２で形成されたランプ支持部１１を有する。
ランプ支持寸法Ｌ２は、図２（ａ）に示すように、ランプの周方向の長さ（弧の長さ）に対応する長さである。レバー１０のランプ支持寸法Ｌ２は、ランプ径（サイズ）に対応して形成されている。すなわちランプ径が大きい円形ランプ用のレバー１０ほどランプ支持寸法Ｌ２が長い。また、レバー１０は、ランプ支持部１１がソケット２０のランプ位置決め部２２（挿入口形成面）との間で、口金周辺部分の「存在可能なスペース」を形成する。
（２）また、レバー１０は、口金ピン３１を口金ピン受け部から取り外すランプ取り外し部１２を有する。これについては後述する。
（３）また、レバー１０は、円環形状である口金周辺部分の内径側と接触可能な突起部１３を有する。
これについても後述する。
【００１５】
以上、レバー１０、ソケット２０を説明したが、概略構造をまとめると次の様である。
【００１６】
ソケット２０の外観は、概ね、直方体と、長方体上面の延長部分として形成されたフランジとからなる。
フランジは、円形ランプ３０の装着時を基準にすると、円形ランプ３０の中心方向とその反対方向とに伸びている。このフランジには、固定穴２６が設けられている。
回転軸２３が、フランジの長手方向と同じ方向に回転中心軸２４が形成されるように設けられている。
回転軸２３により形成される回転中心軸２４は、後述の図７（ａ）にも示すように、当然に円形ランプ３０の装着操作の開始から完了にいたるまで、円形ランプ３０と干渉することはない。そのように回転軸２３は形成されている。
それぞれの凸部２５が、ぞれぞれの回転軸２３の方向に突起している。
ランプ位置決め部２２は、固定穴２６が形成されている上部の面に対して反対側の下部の面を削りとるようにして形成されている。前記のように、ランプ位置決め部２２は、円形ランプ３０の外形形状で削りとられたような曲面である。ランプ位置決め部２２には口金ピン３１の挿入口２１が形成されており、その奥には口金ピン３１を受ける口金ピン受け部が内蔵されている。
【００１７】
レバー１０は、穴形成部１１−１と、アーム部１１−２と、ベース部１１−３とから成る。穴形成部１１−１の先には、ランプ取り外し部１２が形成されている。
穴形成部１１−１から略直角にアーム部１１−２が伸びており、アーム部１１−２の先にはベース部１１−３が形成されている。ベース部１１−３は、板状体に突起部１３を設けた形状である。また、ベース部１１−３には、円形ランプの光を通すため打抜き部を設けている。打ち抜き部の端はランプ支持部１１ａとランプ支持部１１ｂとなっており、両者でランプ支持部１１を構成する。ランプ支持部１１ａとランプ支持部１１ｂとの距離（ランプ支持寸法）は、Ｌ２である。
レバー１０は、剛性をもった固体である。一体成型品でもよいし、複数の部品から作成したものであってもよい。
【００１８】
レバー１０は、それぞれの回転軸受け穴１４が、ソケット２０のそれぞれの回転軸２３に取り付けられることにより、回転中心軸２４を回転中心として回転する。図７で後述するが、ランプ支持部１１とランプ位置決め部２２とにより口金周辺部分３７の存在可能なスペースを形成する。
【００１９】
次に、図７を参照して、円形ランプ保持装置１００により円形ランプ３０を保持する動作を説明する。図７は、この保持動作を説明するための便宜的な図である。図７は、保持動作を説明するため円形ランプ保持装置１００を側面から透視したような図である。図７の円形ランプ３０を口金周辺部分３６として説明する場合がある。また、レバー１０は断面Ａ−Ａではランプ取り外し部１２が出現しないため、説明の便宜からランプ取り外し部１２を表している。
【００２０】
図７（ａ）〜（ｃ）を参照して円形ランプ保持装置１００により円形ランプ３０を保持する動作を説明する。
【００２１】
円形ランプ３０を取り付ける時は、まず、口金周辺部分３６が口金ピン３１をランプ位置決め部２２に向けた状態で「存在可能なスペース３７」に置かれる（図７（ａ））。このとき、レバー１０は、回転中心軸２４を回転中心として回転方向５１に回されると口金周辺部分３６（図７では円形ランプ３０が示している）の「存在可能なスペース３７」を移動させながら口金周辺部分３６をランプ位置決め部２２の近傍に導く（（ａ）→（ｂ））。この場合、レバー１０の回転軸受け穴１４近傍のソケット２０側の面は、凸部２５に乗り上げた状態になっている（（ａ）、（ｂ））。
【００２２】
レバー１０は、口金周辺部分３６（円形ランプ３０）がランプ位置決め部２２の近傍に位置する場合（（ｂ）の状態）にさらに回転方向５１に回されると、ランプ支持部１１が口金周辺部分３６（円形ランプ３０）の口金ピン３１が存在する側に対して下側ランプ表面５３と接触しながら口金周辺部分３６（円形ランプ３０）をランプ位置決め部２２に向けて押しやることにより口金ピン３１を口金ピン受け部に挿入する。この口金ピン３１の挿入において、ランプ位置決め部２２は前述のように「円形ランプ３０の周方向の形状に対応した面」として形成されているので、口金周辺部分３６は、ランプ位置決め部２２によって位置決めされることとなる。
【００２３】
レバー１０は、さらに回転方向５１に回転中心軸２４を回転中心として回されると、凸部２５により回転方向５１と反対方向の回転がロックされる（図７（ｃ））。すなわち、この場合、図７（ｃ）に示すように、口金ピン３１がソケット２０の口金受け口に差し込まれた際には、レバー１０の回転軸受け穴１４近傍のソケット２０側の面が、凸部２５を乗り超えた状態になっている（図７（ｂ））。これによって、凸部２５により、円形ランプ３０の自重により回転方向５１と反対方向にレバー１０が回転することがロックされる。すなわち、図７（ｂ）の状態では、円形ランプ３０の自重によりレバー１０は回転方向５１と反対の方向に回ろうとする。しかし、レバー１０の接触部２７が凸部２５に接触することによりレバー１０の回転方向５１と反対の方向回転がロックされる。このロックにより、ランプ支持部１１がランプ位置決め部２２とともに円形ランプ３０を保持する。なお人の力で回転方向５１と反対の方向に回す場合には、レバー１０（接触部２７）は容易に凸部２５を乗り越えることができる。レバー１０、および凸部２５は、そのような形状に形成されている。また、図８は、円形ランプ３０の支持状態（図７（ｃ））を説明する概念図である。図８に示すように、円形ランプ保持装置１００は、円形ランプ３０の自重Ｆをソケット２０のランプ位置決め部２２からの反力ｆ１とランプ支持部１１からの反力ｆ２ａ，ｆ２ｂとによって受ける。また、円形ランプ保持装置１００は、円形ランプ３０のサイズが大きくなるに従いランプ支持寸法Ｌ２の長いものを用いる。
【００２４】
なお、図３の断面Ａ−Ａ、あるいは、図６（ｂ）に示すように、レバー１０には、円形ランプ３０の外形形状に対応したストッパ部１６ａが形成されている。このストッパ部１６ａにより、ソケット２０のランプ位置決め部２２と同様に、円形ランプ３０の位置を容易に決めることができる。図６（ｂ）のストッパ部１６ａは、ひとつの曲面として形成されている。図９は、別の形状のストッパ部１６ｂを有するレバー１０を示す図である。図９（ａ），（ｂ）は、それぞれ図６（ａ），（ｂ）に対応する。図９（ｂ）のストッパ部１６ｂは、板状体の端部を円形ランプ３０の外形形状に合わせてカットしたものである。
【００２５】
図１０は、円形ランプ３０のすべり落ちることを防止するためにレバー１０に形成された突起部１３を説明する図である。この突起部１３は、図６（ｂ）に示すようにランプ支持寸法Ｌ２の長さを持つ。この突起部１３により円形ランプ３０がすべり落ちることを防止することができる。
【００２６】
次に、図７を参照して、円形ランプ３０を取り外す場合を説明する。円形ランプ３０を取り外す場合は、
（ｃ）→（ｂ）→（ａ）
の順番となる。円形ランプ３０を取外す時は、レバー１０を回転方向５１と反対方向に回しロックを解除する。前述のように、人の力で回転方向５１と反対の方向に回す場合には、レバー１０（接触部２７）は、容易に凸部２５を乗り越えることができる。これにより、凸部２５によるロックが解除され、さらに、レバー１０と一体化して形成されているランプ取り外し部１２が口金周辺部分３６（円形ランプ３０）に接触してレバー１０の回転とともに口金周辺部分３６（円形ランプ３０）をランプ位置決め部２２から押しやることにより口金ピン３１をソケット２０の口金ピン受け部から取り外す（（ｃ）→（ｂ））。
【００２７】
なお、図１１は、ランプ取り外し部１２を形成していないレバー１０を示す図である。図１１のように、ランプ取り外し部１２を形成しないレバー１０としても構わない。通常、ランプの取り付け作業の方が困難だからである。
【００２８】
実施の形態１の円形ランプ保持装置により、円形ランプをソケットに接続する動作とランプを保持する動作を同時に行うことが出来る。また、円形ランプの取り付け、取り外しがレバー１０の操作のみで簡単に行うことができる。また、口金ピンをソケットに確実に接続することができる。また、ランプホルダーが無くても円形ランプを保持することができる。
【００２９】
実施の形態１の円形ランプ保持装置は、ランプ位置決め部と回転中心軸形成部と凸部とを有するソケットと、ランプ支持部を有するレバーとを備えたので、ランプホルダーを必要とすることなく円形ランプを保持することができる。また、口金ピンを確実に口金受け部に挿入することができる。
【００３０】
実施の形態１の円形ランプ保持装置は、レバーがランプ取り外し部を備えたので、容易、且つ確実に円形ランプをはずすことができる。
【００３１】
実施の形態１の円形ランプ保持装置は、レバーが突起部を備えたので、円形ランプの滑り落ちを気にかけることなく容易に円形ランプを装着し、また、はずすことができる。
【００３２】
実施の形態２．
図１２、図１３は実施の形態２を示す。図１２は、図２に対応する。図１２は、円形ランプ保持装置１００とランプホルダー３３とを備えた照明器具を示す。図１２は図２に対してランプホルダー３３を加えた点のみが異なる。図１３は、ランプホルダー３３の形状を示す。（ａ）は斜視図、（ｂ）は（ａ）のＣ方向矢視である。ランプホルダー３３を備えることで、円形ランプ保持装置１００のみで円形ランプ３０を保持する場合に比べ、小さなランプホルダー３３を用いることができ、円形ランプ保持装置を小型にすることができる。
【００３３】
円形ランプ保持装置１００とランプホルダー３３を備えた照明器具に円形ランプ３０を装着する場合には、円形ランプ３０を予めランプホルダー３３にかけてから、図６（ａ）〜（ｃ）で説明した手順により装着する。
【００３４】
実施の形態２の照明器具は円形ランプ保持装置とランプホルダーとを備えたので、ランプホルダーを持た無い場合に比べて小型の円形ランプ保持装置を使用することができる。
【図面の簡単な説明】
【００３５】
【図１】実施の形態１における円形ランプの外観。
【図２】実施の形態１における円形ランプ保持装置１００の円形ランプ３０の保持状態を示す斜視図。
【図３】実施の形態１におけるＡ−Ａ断面図。
【図４】実施の形態１における円形ランプ保持装置１００の構成を示す図。
【図５】図４のソケット２０のＢ矢視。
【図６】実施の形態１におけるレバー１０を示す斜視図。
【図７】実施の形態１における円形ランプの取り付け動作を示す図。
【図８】実施の形態１における円形ランプ保持装置１００による円形ランプの保持を説明する図。
【図９】実施の形態１における実施の形態１における別のレバーを示す斜視図。
【図１０】実施の形態１における突起部１３を説明する図。
【図１１】実施の形態１におけるさらに別のレバーを示す斜視図。
【図１２】実施の形態２における照明器具を示す図。
【図１３】実施の形態２におけるランプホルダーを示す図。
【符号の説明】
【００３６】
Ｌ２  ランプ支持寸法、１０  レバー、１１  ランプ支持部、１２  ランプ取り外し部、１３  突起部、１４  回転軸受け穴、１６ａ，１６ｂ  ストッパ部、２０  ソケット、２１  挿入口、２２  ランプ位置決め部、２３  回転軸、２４  回転中心軸、２５  凸部、２６  固定穴、２７  接触部、３０  円形ランプ、３１  口金ピン、３２  口金部、３  ランプホルダー、３５  周方向形状部、４０  照明器具本体、５１  回転方向、５３  下側ランプ表面、１００  円形ランプ保持装置。
【図１】
2007273165.tif 000003
【図２】
2007273165.tif 000004
【図３】
2007273165.tif 000005
【図４】
2007273165.tif 000006
【図５】
2007273165.tif 000007
【図６】
2007273165.tif 000008
【図７】
2007273165.tif 000009
【図８】
2007273165.tif 000010
【図９】
2007273165.tif 000011
【図１０】
2007273165.tif 000012
【図１１】
2007273165.tif 000013
【図１２】
2007273165.tif 000014
【図１３】
2007273165.tif 000015